(57)【特許請求の範囲】
【請求項１】
使用者情報に関するデータ、複数のレッスンプロに関するデータ及び使用者に提供されるゴルフコンテンツ情報に関するデータを保存するデータベース；
前記使用者が前記データベースに保存された複数のレッスンプロのうち少なくとも1人のレッスンプロを選択できるようにして、その選択されたレッスンプロで構成されるレッスングループを設定できるようにして、前記使用者に合うレッスングループが設定されるようにするレッスングループ設定手段；及び
該当の使用者に対して設定された前記レッスングループの予め設定されたレッスンプロに関するゴルフコンテンツを前記データベースから抽出して提供するコンテンツ提供手段を含み、
前記レッスングループ設定手段は、
前記レッスングループに対して提供されるゴルフコンテンツ別分類、ゴルフスイングの種類別分類、使用者のゴルフクラブ別分類、飛距離別分類及びゴルフコース別分類のうち少なくとも一つの分類をあらかじめ設定し、
前記あらかじめ設定された少なくとも一つの分類ごとに、前記使用者が前記データベースに保存された複数のレッスンプロのうち少なくとも1人のレッスンプロを選択し、当該分類に含まれる可能性があるようにすることで、前記使用者に合うレッスングループが設定されるようにするゴルフコンテンツ提供装置。
【請求項２】
前記コンテンツ提供手段は、
使用者のスイングモーションに関する映像と、前記レッスングループの予め設定されたレッスンプロの前記使用者のスイングモーションに対応するスイングモーションに関する映像を表示するスイングモーション表示手段を含むことを特徴とする、請求項１に記載のゴルフコンテンツ提供装置。
【請求項３】
前記コンテンツ提供手段は、
使用者のスイングモーションに関する映像から重要動作に関するスチールイメージを抽出して順次表示する使用者のスイングモーションシーケンスと、レッスンプロの前記使用者のスイングモーションシーケンスに対応するスチールイメージを時系列的に羅列して表示するレッスンプロのスイングモーションシーケンスを共に表示するシーケンス表示手段を含むことを特徴とする、請求項１又は２に記載のゴルフコンテンツ提供装置。
【請求項４】
前記データベースは、使用者のゴルフ等級、保有ポイント及び積立金のうち少なくとも一つに関する情報を保存し、
前記レッスングループ設定手段は、
前記データベースに保存された使用者のゴルフ等級、保有ポイント及び積立金のうち少なくとも一つによって前記レッスンプロに対する選択が制限されるように構成されることを特徴とする、請求項１から３の何れか１項に記載のゴルフコンテンツ提供装置。
【請求項５】
使用者がレッスンプロ選択のための特定の条件を入力すると、前記データベースに保存された複数のレッスンプロのうち使用者が入力した条件に対応するレッスンプロを推薦するレッスンプロ推薦手段をさらに含むことを特徴とする、請求項１から４の何れか１項に記載のゴルフコンテンツ提供装置。
【請求項６】
複数のレッスンプロに関するデータを保存するデータベース；
使用者がレッスンプロ選択のための特定の条件を入力するようにインターフェースを提供し、前記データベースに保存された複数のレッスンプロのうち使用者が入力した条件に対応するレッスンプロを推薦するレッスンプロ推薦手段；及び
前記レッスンプロ推薦手段によって推薦されたレッスンプロに関するゴルフコンテンツを前記データベースから抽出して提供するコンテンツ提供手段を含み、
前記インターフェースは、使用者の性別、身体条件及びプレイスタイルのうち少なくとも一つを含む使用者スペックを入力するように構成され、
前記レッスンプロ推薦手段は、前記データベースに保存された複数のレッスンプロのうち入力された前記使用者スペックとマッチングされるスペックを有するレッスンプロを検索するレッスンプロ検索手段を含むゴルフコンテンツ提供装置。
【請求項７】
前記データベースは、使用者のゴルフ等級、保有ポイント及び積立金のうち少なくとも一つに関する情報を保存し、
前記レッスンプロ推薦手段は、
前記データベースに保存された使用者のゴルフ等級、保有ポイント及び積立金のうち少なくとも一つによって前記レッスンプロに対する推薦が制限されるように構成されることを特徴とする、請求項６に記載のゴルフコンテンツ提供装置。
【請求項８】
複数のゴルフコンテンツ提供装置とネットワークで連結されるサーバーを含むゴルフコンテンツ提供システムにおいて、
前記サーバーは、
使用者情報に関するデータ、複数のレッスンプロに関するデータ及び使用者に提供されるゴルフコンテンツ情報に関するデータを保存するデータベースと、前記使用者が前記データベースに保存された複数のレッスンプロのうち少なくとも1人のレッスンプロを選択できるようにして、その選択されたレッスンプロで構成されるレッスングループを設定できるようにして、前記使用者に合うレッスングループが設定されるようにするレッスングループ設定手段と、を含み、
前記レッスングループ設定手段は、
前記レッスングループに対して提供されるゴルフコンテンツ別分類、ゴルフスイングの種類別分類、使用者のゴルフクラブ別分類、飛距離別分類及びゴルフコース別分類のうち少なくとも一つの分類をあらかじめ設定し、
前記あらかじめ設定された少なくとも一つの分類ごとに、前記使用者が前記データベースに保存された複数のレッスンプロのうち少なくとも1人のレッスンプロを選択し、当該分類に含まれる可能性があるようにすることで、前記使用者に合うレッスングループが設定されるようにして、
前記複数のゴルフコンテンツ提供装置は、
前記サーバーから受けた該当の使用者に対して設定された前記レッスングループに関するデータから予め設定されたレッスンプロに関するゴルフコンテンツを提供するように構成されることを特徴とするゴルフコンテンツ提供システム。
【請求項９】
前記サーバーは、
使用者がレッスンプロ選択のための特定の条件を入力するようにインターフェースを提供し、前記データベースに保存された複数のレッスンプロのうち使用者が入力した条件に対応するレッスンプロを推薦するレッスンプロ推薦手段を含み、
前記サーバーから受けた該当の使用者に対して推薦されたレッスンプロに関するゴルフコンテンツを提供するように構成されることを特徴とする、請求項８に記載のゴルフコンテンツ提供システム。
【請求項１０】
使用者のログイン段階；
使用者情報に関するデータ、複数のレッスンプロに関するデータ及び使用者に提供されるゴルフコンテンツ情報に関するデータを保存するデータベースから前記ログインされた使用者に提供されるレッスンプロとして前記データベースに保存された複数のレッスンプロに関する情報が表示される段階；
前記情報が表示される段階によって表示される複数のレッスンプロのうち少なくとも1人のレッスンプロを前記ログインされた使用者が選択できるようにして、その選択されたレッスンプロで構成されるレッスングループが設定できるようにして、前記ログインされた使用者に合うレッスングループが設定されるようにする段階；及び
前記使用者に対して設定された前記レッスングループの予め設定されたレッスンプロに関するゴルフコンテンツが提供される段階を含み、
前記レッスングループが設定される前に、前記レッスングループに対して提供されるゴルフコンテンツ別分類、ゴルフスイングの種類別分類、使用者のゴルフクラブ別分類、飛距離別分類及びゴルフコース別分類のうち少なくとも一つの分類をあらかじめ設定し、
前記レッスングループが設定される段階は、
前記あらかじめ設定された少なくとも一つの分類ごとに、前記ログインされた使用者が前記データベースに保存された複数のレッスンプロのうち少なくとも1人のレッスンプロを選択し、当該分類に含まれる可能性があるようにすることで、前記使用者に合うレッスングループが設定されるようにする段階を含むゴルフコンテンツ提供方法。
【請求項１１】
前記レッスングループが設定される段階は、
使用者がレッスンプロ選択のための特定の条件を入力する段階と、
前記データベースに保存された複数のレッスンプロのうち使用者が入力した条件に対応するレッスンプロを推薦する段階と、を含むことを特徴とする、請求項１０に記載のゴルフコンテンツ提供方法。
【請求項１２】
前記レッスンプロに関するゴルフコンテンツが提供される段階は、
前記使用者による仮想ゴルフシミュレーションが進行されることによって前記使用者のスイングモーションが撮影される段階；及び
撮影された前記使用者のスイングモーション映像と、前記レッスングループの予め設定されたレッスンプロの前記使用者のスイングモーションに対応するスイングモーション映像が表示される段階；を含む、請求項１０または１１に記載のゴルフコンテンツ提供方法。
【請求項１３】
前記レッスンプロに関するゴルフコンテンツが提供される段階は、
前記使用者による仮想ゴルフシミュレーションが進行されることによって前記使用者のスイングモーションが撮影される段階；
前記使用者のスイングモーションに関する映像から重要動作に関するスチールイメージを抽出して順次表示する使用者のスイングモーションシーケンス表示段階；及び
前記使用者のスイングモーションシーケンスに対応する前記レッスンプロのスチールイメージを時系列的に羅列するレッスンプロのスイングモーションシーケンスを表示する段階；を含む、請求項１０から１２の何れか１項に記載のゴルフコンテンツ提供方法。
【請求項１４】
撮影された前記使用者のスイングモーションに関するデータと予め設定された前記レッスンプロのスイングモーションに関するデータをサーバーに伝送する段階をさらに含むことを特徴とする、請求項１２又は１３に記載のゴルフコンテンツ提供方法。
【請求項１５】
コンピュータに、請求項１０から１４の何れか１項に記載のゴルフコンテンツ提供方法を実行させるためのプログラム。
【発明の詳細な説明】
【技術分野】
【０００１】
本発明は、ゴルフコンテンツ提供装置及びこれを用いるゴルフコンテンツ提供システム、仮想ゴルフシミュレーション装置、ゴルフコンテンツ提供方法及び仮想ゴルフシミュレーション方法に関し、より詳細には、ゴルフレッスンに関するコンテンツを提供するゴルフレッスン装置とシステム、仮想のゴルフコースで実際の場合と同様にゴルフラウンドを行えるようにする仮想ゴルフシミュレーション装置、そして、前記ゴルフレッスン装置とシステムを通したゴルフコンテンツ提供方法及び前記仮想ゴルフシミュレーション装置を通した仮想ゴルフシミュレーション方法に関する。
【背景技術】
【０００２】
最近、ゴルフ人口が増加しながら、画面を通してプロゴルファーからゴルフレッスンを受けるために、各種ゴルフコンテンツ提供のための装置が登場している。
【０００３】
特に、仮想ゴルフシミュレーション装置などを用いたゴルフ練習及び仮想のゴルフ競技を楽しめる、いわゆるスクリーンゴルフシステムが登場するようになったが、このようなスクリーンゴルフシステムは、室内に仮想ゴルフ場をディスプレイできるスクリーンを設置し、ゴルファーがゴルフボールを前記スクリーンに向かって打撃すると、ゴルフボールの速度、方向などを感知し、前記スクリーン上にゴルフボールの進行を表示するシステムである。
【０００４】
このようなゴルフレッスン提供装置や仮想ゴルフシミュレーション装置などのゴルフコンテンツ提供装置は、多様な先端装置とシステムを通してサービスされる特性上、実際のゴルフ場やゴルフ練習場では提供しにくい多様なコンテンツを提供することが可能である。
【０００５】
このように実際のゴルフ練習場やゴルフ場では不可能な多様な機能をゴルフレッスン装置や仮想ゴルフシミュレーション装置などのゴルフコンテンツ提供装置を通してゴルファーに提供することによって、ゴルファーが自分のゴルフ実力をより効果的に向上させ得るようにする必要がある。
【発明の概要】
【発明が解決しようとする課題】
【０００６】
本発明は、ゴルフレッスン装置を通してゴルフレッスンを受けたり、仮想ゴルフシミュレーション装置を通して仮想のゴルフコースで仮想のゴルフラウンドなどを行うにおいて、使用者が自分に合うレッスンプロを直接選択したり、レッスンプロの推薦を受けてそれによる適切なゴルフコンテンツを受ける方式で、使用者が自分に合う個人向けゴルフコンテンツを受けたり、所望のゴルフコンテンツを受けることによって、使用者のゴルフ実力をより効果的に向上させ、ゴルフレッスンやゴルフ練習、仮想のゴルフラウンドにおいて使用者の興味を誘発させ得るゴルフコンテンツ提供装置及びこれを用いるゴルフコンテンツ提供システム、仮想ゴルフシミュレーション装置、ゴルフコンテンツ提供方法及び仮想ゴルフシミュレーション方法を提供するためのものである。
【課題を解決するための手段】
【０００７】
本発明の一実施例に係るゴルフコンテンツ提供装置は、複数のレッスンプロに関するデータを保存するデータベース；前記データベースに保存された複数のレッスンプロのうち使用者によって選択された少なくとも一人のレッスンプロで構成されるレッスングループを設定するレッスングループ設定手段；及び該当の使用者に対して設定された前記レッスングループの予め設定されたレッスンプロに関するゴルフコンテンツを前記データベースから抽出して提供するコンテンツ提供手段；を含む。
【０００８】
一方、本発明の他の一実施例に係るゴルフコンテンツ提供装置は、複数のレッスンプロに関するデータを保存するデータベース；使用者がレッスンプロ選択のための特定の条件を入力できるようにインターフェースを提供し、前記データベースに保存された複数のレッスンプロのうち使用者が入力した条件に対応するレッスンプロを推薦するレッスンプロ推薦手段；及び前記レッスンプロ推薦手段によって推薦されたレッスンプロに関するゴルフコンテンツを前記データベースから抽出して提供するコンテンツ提供手段；を含む。
【０００９】
一方、本発明の一実施例に係るゴルフコンテンツ提供システムは、複数のゴルフコンテンツ提供装置とネットワークで連結されるサーバーを含むゴルフコンテンツ提供システムにおいて、前記サーバーは、複数のレッスンプロに関するデータを保存するデータベースと、前記データベースに保存された複数のレッスンプロのうち使用者によって選択された少なくとも一人のレッスンプロで構成されるレッスングループを設定するレッスングループ設定手段とを含み、前記ゴルフコンテンツ提供装置は、前記サーバーから受けた該当の使用者に対して設定された前記レッスングループに関するデータから予め設定されたレッスンプロに関するゴルフコンテンツを提供するように構成されることを特徴とする。
【００１０】
一方、本発明の一実施例に係るゴルフコンテンツ提供方法は、使用者のログイン段階；データベースに保存された複数のレッスンプロに関する情報が表示される段階；前記複数のレッスンプロのうち前記使用者によって選択された少なくとも一人のレッスンプロで構成されるレッスングループが設定される段階；及び前記使用者に対して設定された前記レッスングループの予め設定されたレッスンプロに関するゴルフコンテンツが提供される段階；を含む。
【発明の効果】
【００１１】
本発明に係るゴルフコンテンツ提供装置及びこれを用いるゴルフコンテンツ提供システム、仮想ゴルフシミュレーション装置、ゴルフコンテンツ提供方法及び仮想ゴルフシミュレーション方法は、ゴルフレッスン装置を通してゴルフレッスンを受けたり、仮想ゴルフシミュレーション装置を通して仮想のゴルフコースで仮想のゴルフラウンドなどを行うにおいて、使用者が自分に合うレッスンプロを直接選択したり、レッスンプロの推薦を受けてそれによる適切なゴルフコンテンツを受ける方式で、使用者が自分に合う個人向けゴルフコンテンツを受けたり、所望のゴルフコンテンツを受けることによって、使用者のゴルフ実力をより効果的に向上させ、ゴルフレッスンやゴルフ練習、仮想のゴルフラウンドにおいて使用者の興味を誘発させ得るという効果を有する。
【図面の簡単な説明】
【００１２】
【図１】本発明の一実施例に係るゴルフコンテンツ提供装置の制御系統に関して示したブロック図である。
【図２】本発明の一実施例に係るゴルフコンテンツ提供システムの制御系統に関して示したブロック図である。
【図３】本発明の一実施例においてレッスングループ設定手段を通して使用者のレッスングループを設定する画面の一例を示した図である。
【図４】本発明の一実施例においてレッスンプロ推薦手段を通してレッスンプロを推薦することに関する画面の一例を示した図である。
【図５】本発明の一実施例に係る仮想ゴルフシミュレーション装置を通してスイングモーションが表示される画面の一例及び他の一例をそれぞれ示した図である。
【図６】本発明の一実施例に係る仮想ゴルフシミュレーション装置を通してスイングモーションが表示される画面の一例及び他の一例をそれぞれ示した図である。
【図７】本発明の一実施例に係るゴルフコンテンツ提供方法及び仮想ゴルフシミュレーション方法に関して示したフローチャートである。
【図８】本発明の一実施例に係るゴルフコンテンツ提供方法及び仮想ゴルフシミュレーション方法に関して示したフローチャートである。
【発明を実施するための形態】
【００１３】
本発明に係るゴルフコンテンツ提供装置及びこれを用いるゴルフコンテンツ提供システム、仮想ゴルフシミュレーション装置、ゴルフコンテンツ提供方法及び仮想ゴルフシミュレーション方法に関する実施例を図面を参照してより具体的に説明する。
【００１４】
本発明に係るゴルフコンテンツ提供装置は、ゴルフレッスンプロから受けたゴルフレッスンコンテンツを保存してから、使用者が要請するときに提供するゴルフレッスン装置はもちろん、特定のゴルフコースに対するゴルフ攻略ガイドに関するコンテンツを提供する装置と、いわゆるスクリーンゴルフなどの仮想のゴルフコースで行われる仮想のゴルフラウンドに関するゴルフコンテンツを提供する仮想ゴルフシミュレーション装置などのように、ゴルフに関する所定のコンテンツを提供する全ての装置を含むことができる。
【００１５】
まず、図１を参照して、本発明の一実施例に係るゴルフコンテンツ提供装置に関して説明する。
【００１６】
図１は、本発明に係るゴルフコンテンツ提供装置の一例に関する構成をブロック図として概略的に示しているが、図１に示したように、本発明の一実施例に係るゴルフコンテンツ提供装置は、ゴルフコンテンツ提供のための所定のデータが保存されるデータベース１０と、使用者の設定情報入力などのためのインターフェース２０と、使用者のスイングモーションなどを撮影するための撮影装置３０と、ゴルフコンテンツなどのための映像／音声を処理する映像／音声処理部４０と、前記映像／音声処理部４０で処理された情報を出力する映像／音声出力部５０と、このような全ての装置及び手段を総括制御する制御部Ｍとを含んで構成されることが望ましい。
【００１７】
前記データベース１０は、ゴルフコンテンツ提供装置のシステム情報に関するデータ、使用者情報に関するデータ、複数のレッスンプロに関するデータ、及び提供されるゴルフコンテンツ情報に関するデータなどが保存されるように備えられることが望ましく、前記の全てのデータは、一つのデータベースに保存することもでき、それぞれ別途の保存装置に保存し、全体が一つのデータベースをなすように構成することもできる。
【００１８】
前記システム情報は、ゴルフコンテンツ提供装置の駆動のための各種情報であり、前記使用者情報は、ゴルフコンテンツ提供装置を用いる使用者として登録された使用者に関する情報であり、レッスンプロ情報は、実存するゴルフプロ選手に関する性別、身長、体重、プレイスタイル、経歴などに関するスペック情報や、仮想のレッスンプロとして加工されたキャラクターに対するスペック情報などを含むことができる。そして、ゴルフコンテンツ情報は、ゴルフコンテンツ提供装置を通して提供される全てのゴルフコンテンツに関する情報であって、それぞれのレッスンプロが提供するレッスンプロ別ゴルフコンテンツに関する情報を含む。
【００１９】
一方、前記インターフェース２０は、使用者が自分に合うレッスンプロを選択したり、レッスンプロの推薦を受けるために所定の条件を入力できるようにする手段を提供するように備えられるが、これに対する具体的な例は、図３及び図４を参照して説明する。
【００２０】
一方、前記撮影装置３０は、使用者がゴルフスイングをする場合にこれを撮影し、ゴルフスイング映像データを生成するように備えられ、本発明の一実施例に係るゴルフコンテンツ提供装置又は仮想ゴルフシミュレーション装置では、使用者のスイングモーションを撮影し、これに対する映像データを生成して出力するように構成することができる。これに対する具体的な例は、図５を参照して説明する。
【００２１】
一方、前記映像／音声処理部４０は、提供されるゴルフコンテンツに関する映像情報と音声情報を処理するように備えられ、このように処理された映像情報及び音声情報は、映像／音声出力部５０を通して使用者に提供される。前記映像／音声出力部５０は、ディスプレイ装置やビームプロジェクターなどの形態で具現することができる。
【００２２】
本発明に係るゴルフコンテンツ提供装置は、基本的にデータベース、レッスングループ設定手段、及びコンテンツ提供手段を含むが、図１に示した例において、制御部Ｍとインターフェース２０は、使用者がデータベースに保存された複数のレッスンプロのうち少なくとも一人のレッスンプロを選択し、少なくとも一人のレッスンプロで構成されるレッスングループを設定できるようにするレッスングループ設定手段としての機能を行う。
【００２３】
そして、図１に示した例において、映像／音声処理部４０及び映像／音声出力部５０は、使用者に対して設定されたレッスングループに属するレッスンプロに関するゴルフコンテンツの映像及び音声情報が処理されて出力されるようにするコンテンツ提供手段としての機能を行う。
【００２４】
ここで、使用者がレッスンプロを選択する理由は、その選択されたレッスンプロが提供するゴルフコンテンツを使用者が受けるためである。ここで、ゴルフコンテンツは、例えば、ゴルフクラブのグリップに対する説明映像／音声やゴルフ常識に対する説明映像／音声、レッスンプロ自身の模範的なスイングモーションに関する映像などのゴルフレッスンコンテンツを含むこともでき、バンカーショットをするときの要領や傾斜した場所でアイアンショットをする方法などのゴルフコース攻略方法に関するコンテンツを含むこともでき、その他の形態のゴルフと関連するコンテンツを全て含むことができる。
【００２５】
使用者は、選択されたレッスンプロのゴルフコンテンツを受けるために費用を決済することができ、このような決済は、使用者がシステム内で保有するポイントやマイレージ、積立金などで行うこともでき、直接決済することによって該当のレッスンプロが提供するゴルフコンテンツを購入することもできる。
【００２６】
又は、システム内で使用者の利用回数などによって決定されるゴルフ等級によって一定水準のゴルフ等級を獲得した場合のみに、制限的に自分のレッスングループを設定することもできる。
【００２７】
一方、図２は、本発明の一実施例に係るゴルフコンテンツ提供システムの概略的な構成をブロック図として示しているが、図２に示したように、ゴルフコンテンツ提供システムは、複数のゴルフコンテンツ提供装置ＣとサーバーＳがインターネットなどのネットワークによって連結されて構成される。
【００２８】
前記ネットワークには各種使用者端末装置が接続可能であり、使用者は、使用者端末装置を通して前記サーバーＳに接続して所定の情報を受けることができ、特に、使用者は、端末装置を通してサーバーＳに接続し、自分に合うレッスンプロを選択してレッスングループを設定したり、自分に合うレッスンプロの推薦を受けてレッスングループを設定して保存することができ、後でゴルフコンテンツ提供装置を用いるとき、既に設定されて保存されたレッスングループに関する情報をそのまま用いることができる。
【００２９】
図２に示したように、サーバーＳは、中央処理部１００、データベース２００、レッスングループ設定手段３００及びレッスンプロ推薦手段４００を含んで構成することができる。
【００３０】
前記データベース２００は、使用者端末装置の接続を通して提供される各種情報と関連するデータと、各ゴルフコンテンツ提供装置Ｃの接続を通して提供される各種情報と関連する全てのデータを保存しており、具体的に、システム情報、使用者情報、レッスンプロ情報、ゴルフコンテンツ情報、その他のサーバー運用に必要な全ての情報に関するデータを全て保存する。
【００３１】
一方、前記中央処理部１００、レッスングループ設定手段３００及びレッスンプロ推薦手段４００は、全体を一つの制御モジュールや装置として備えることもでき、それぞれ別途のモジュールや装置として備えることもできる。
【００３２】
前記レッスングループ設定手段３００は、使用者が使用者端末装置やゴルフコンテンツ提供装置Ｃを通してサーバーＳに接続し、データベース２００に保存された複数のレッスンプロのうち所望のレッスンプロを少なくとも一人選択することによって、その選択されたレッスンプロで構成されるレッスングループを設定できるようにする手段である。
【００３３】
前記レッスンプロ推薦手段４００は、使用者が使用者端末装置やゴルフコンテンツ提供装置Ｃを通してサーバーＳに接続し、インターフェースを通してレッスンプロ選択のための特定の条件として、例えば、使用者が自分の身長や体重、プレイスタイルなどの使用者スペックを入力したり、使用者が所望のレッスンプロのスペックを入力すると、データベースに保存された複数のレッスンプロのうち使用者が入力した条件に対応するレッスンプロを検索し、その検索結果を表示することによってレッスンプロを推薦するものである。
【００３４】
使用者は、前記レッスンプロ推薦手段４００を通して推薦を受けた一人又は二人以上のレッスンプロを選択することによって、レッスングループを設定することができる。
【００３５】
レッスンプロの選択又はレッスンプロの推薦に関するより具体的な例は、図３及び図４を参照して説明する。
【００３６】
一方、図面には示していないが、本発明の一実施例に係るゴルフコンテンツ提供システムのサーバーＳは、決済手段を備えて、使用者が使用者端末装置やゴルフコンテンツ提供装置Ｃを通してサーバーＳに接続し、レッスングループ設定手段やレッスンプロ推薦手段を通して自分のレッスングループを設定することに対する費用決済を行うこともできる。
【００３７】
一方、図３ないし図６を参照して、本発明の一実施例に係るゴルフコンテンツ提供装置又はゴルフコンテンツ提供システムを通して提供されるインターフェース画面の一例に関して説明する。
【００３８】
図３は、レッスンプロに関する事項を表示し、使用者が所望のレッスンプロを選択し、レッスングループを設定できるようにするインターフェース画面の一例を示している。
【００３９】
図３に示したように、インターフェース画面７０は、データベースに保存された複数のレッスンプロに関する情報を表示するレッスンプロ表示部７１と、レッスングループの分類基準に関して示す分類基準表示部７２と、使用者が選択したレッスンプロ又はレッスンプロのゴルフコンテンツを収容できるレッスングループ表示部７３とを含んで構成することができる。
【００４０】
前記レッスンプロ表示部７１は、データベースに保存された全てのレッスンプロ又は一部のレッスンプロのスペックに対して詳細に表示する部分であって、より具体的には、レッスンプロのイメージと共に、名前、性別、身長、体重、経歴、プレイスタイルなどに関する事項を表示することができる。
【００４１】
また、前記レッスンプロ表示部７１は、それぞれのレッスンプロが提供するゴルフコンテンツの種類に対しても表示することができ（図３には示していないが、"詳細に"ボタンを押すと、該当のレッスンプロが提供するゴルフコンテンツの種類を見れる画面に移るように構成することができる。）、該当のレッスンプロのゴルフコンテンツを購入するのにかかる決済情報も共に表示することができる。
【００４２】
前記分類基準表示部７２は、レッスンプロ選択のための分類基準に対して表示する。すなわち、レッスンプロを多様な分類によって選択できるように構成できるが、例えば、提供されるゴルフコンテンツ別分類、ゴルフスイングの種類別分類、使用者のゴルフクラブ別分類、飛距離別分類及びゴルフコース別分類などのような多様な分類によってレッスンプロを選択することができる。
【００４３】
図３に示したように、使用者がゴルフスイングの種類別分類を基準にしてレッスンプロを選択する場合、ゴルフスイングをドライバーショット、アイアンショット、アプローチショット及びパッティングに分類し、各分類ごとに少なくとも一人のレッスンプロが含まれるように選択することができる。
【００４４】
例えば、ドライバーショットの項目に'ヤン・ヨンウンプロ'が含まれるようにし、アイアンショットの項目に'シン・ジエプロ'が含まれるようにしてレッスングループを設定すると、ゴルフコンテンツ提供装置を通して使用者がドライバーショットを練習したり、ドライバーショットに関してレッスンを受ける場合は'ヤン・ヨンウンプロ'に関するゴルフコンテンツが提供され、使用者がアイアンショットを練習したり、これに対するレッスンを受ける場合は'シン・ジエプロ'に関するゴルフコンテンツが提供される。
【００４５】
前記のように設定されたレッスングループを用いて使用者が仮想ゴルフシミュレーション装置を通してゴルフコンテンツを受ける場合、使用者が仮想のゴルフシミュレーション進行過程でドライバーショットをすると、レッスングループで'ヤン・ヨンウンプロ'に関するスイングモーション映像やその他のレッスンコンテンツなどを提供することができる。
【００４６】
レッスングループの基準分類は、ゴルフスイング別分類のみならず、より多様に選択することができる。例えば、ゴルフコンテンツ別分類の場合は、ゴルフクラブグリップコンテンツ、ハーフスイングコンテンツ、フルスイングコンテンツ、ゴルフコース別攻略コンテンツなどに分類してレッスングループを設定することができ、使用者のゴルフクラブ別分類の場合は、ドライバー、ウッド、ロングアイアン、ショートアイアン、パターなどに分類してレッスングループを設定することができ、ゴルフコース別分類の場合は、フェアウェイ、ライトラフ、ヘビーラフ、フェアウェイバンカー、グリーンバンカー、グリーンなどに分類してレッスングループを設定することができる。
【００４７】
一方、前記レッスングループ表示部７３は、レッスンプロ表示部７１に表示されたレッスンプロのうち使用者によって選択されたレッスンプロ又はレッスンプロのゴルフコンテンツを収容できるように構成することができる。
【００４８】
一方、図４は、使用者が入力したスペックに合うレッスンプロを推薦するインターフェース画面の一例を示している。
【００４９】
図４に示したように、インターフェース画面７０は、データベースに保存された複数のレッスンプロに関する情報を表示するレッスンプロ表示部７１と、レッスンプロ推薦のための入力事項に関して示す入力事項表示部７４と、使用者の入力事項によって検索されたレッスンプロが推薦されて表示される推薦プロ表示部７５とを含んで構成することができる。
【００５０】
すなわち、使用者が入力事項表示部７４を通して所望のレッスンプロの性別、身長、体重及びプレイスタイルなどを入力してレッスンプロ推薦ボタンをクリックすると、データベースで入力された事項に合うレッスンプロを検索して推薦プロ表示部７５に表示するようになる。
【００５１】
使用者は、表示された推薦レッスンプロのうち所望のレッスンプロを選択してレッスングループを設定することができる。
【００５２】
一方、本発明に係るゴルフコンテンツ提供装置のコンテンツ提供手段は、使用者のスイングモーションに関する映像と、レッスングループの予め設定されたレッスンプロの前記使用者のスイングモーションに対応するスイングモーションに関する映像を共に表示するスイングモーション表示手段、又は、使用者のスイングモーションに関する映像から重要動作に関するスチールイメージを抽出して順次表示する使用者のスイングモーションシーケンスと、レッスンプロの前記使用者のスイングモーションシーケンスに対応するスチールイメージを時系列的に羅列して表示するレッスンプロのスイングモーションシーケンスを共に表示するシーケンス表示手段を含むことができるが、前記スイングモーション表示手段によって提供されるコンテンツの一例は図５に、前記シーケンス表示手段によって提供されるコンテンツの一例は図６にそれぞれ示している。
【００５３】
まず、図５を参照して前記スイングモーション表示手段によって提供されるコンテンツの一例を説明する。
【００５４】
図１又は図２に示したように、ゴルフコンテンツ提供装置として仮想ゴルフシミュレーション装置の場合、使用者がシミュレーション過程でゴルフスイングをすると、撮影装置が使用者のスイングモーションを撮影してスイングモーション映像データを生成し、使用者のスイングモーション映像８１をシミュレーション画面８０上に表示するようになる。
【００５５】
このとき、該当の使用者に対して設定されたレッスングループで予め設定されたレッスンプロのスイングモーション映像８２を共に表示し、使用者が自分のゴルフスイングの問題を自己診断することができる。
【００５６】
該当の使用者に対して設定されたレッスングループに一人のレッスンプロのみが含まれている場合は、そのレッスンプロのスイングモーション映像が表示され、レッスングループに複数のレッスンプロが含まれており、使用者がドライバーショットをした場合は、ドライバーショット分類に含まれるレッスンプロのスイングモーション映像が表示される。ドライバーショット分類に複数のレッスンプロが含まれている場合は、使用者によって予め定められた設定事項によって特定のレッスンプロのスイングモーション映像を表示することも可能である。
【００５７】
一方、図６を参照して、前記シーケンス表示手段によって提供されるコンテンツの一例を説明する。
【００５８】
使用者がシミュレーション過程でゴルフスイングをすると、撮影装置が使用者のスイングモーションを撮影してスイングモーション映像データを生成するが、前記スイングモーション映像から重要動作に関するスチールイメージを抽出して順次表示する使用者のスイングモーションシーケンス８３を画面８０上に表示するようになる。
【００５９】
このとき、該当の使用者に対して設定されたレッスングループで予め設定されたレッスンプロのスイングモーションにおいて、前記使用者のスイングモーションシーケンス８３を構成する重要動作に関するスチールイメージに対応するスイング動作に関するスチールイメージを順次表示するレッスンプロのスイングモーションシーケンス８４を前記使用者のスイングモーションシーケンス８３と共に表示し、使用者が自分のゴルフスイングの問題を自己診断することができる。
【００６０】
ここで、使用者のスイングモーションシーケンス８３は、スイングモーションで重要な動作に対して予め設定しておき、取得されたスイングモーション映像から予め設定された動作によるスチールイメージを抽出することによって表示することができる。
【００６１】
例えば、スイングモーションにおいてアドレス、バックスイング、トップ、ダウンスイング、インパクト、フォロースルー及びフィニッシュを重要動作として予め設定し、取得された使用者のスイングモーション映像を分析し、前記重要動作に該当するスチールイメージを抽出し、図６に示したように表示することができる。このとき、レッスンプロのスイングモーションシーケンス８４は、予め設定された重要動作に対するスチールイメージ及びスイングモーションシーケンスを予め保存しておき、必要なときに表示することも可能である。
【００６２】
一方、図７を参照して、本発明の一実施例に係るゴルフコンテンツ提供方法に関して説明する。
【００６３】
まず、使用者は、ゴルフコンテンツ提供装置又は使用者端末装置を通してログインをする（Ｓ１０）。
【００６４】
使用者は、ログイン後に多様な作業を行えるが、レッスングループ設定手段を実行することもでき（Ｓ２０）、他の作業を行うこともできる（Ｓ２２）。
【００６５】
使用者がレッスングループ設定手段を実行すると、レッスングループ設定のためのインターフェースが実行され、データベースに保存されたレッスンプロに関する情報が抽出されてインターフェースを通して表示される（Ｓ２１）。
【００６６】
このとき、使用者がインターフェースに表示された複数のレッスンプロのうち自分に合うレッスンプロの推薦を受けようとする場合、レッスンプロ推薦手段を実行させることができる（Ｓ３０）。又は、使用者は、インターフェースに表示された複数のレッスンプロのうち所望のレッスンプロを直接選択することもできる（Ｓ３１）。
【００６７】
使用者がレッスンプロ推薦手段を実行させる場合、レッスンプロ推薦のためのインターフェースが実行され（Ｓ３２）、使用者は、前記レッスンプロ推薦のためのインターフェースを介して自分のスペックや所望のレッスンプロのスペックなどの特定の条件を入力する（Ｓ３３）。
【００６８】
使用者の入力が完了すると、レッスンプロ推薦手段は、データベースで使用者が入力した条件に対応するレッスンプロを検索し（Ｓ３４）、検索された結果によるレッスンプロの情報を表示する（Ｓ３５）。使用者は、検索結果を見て自分に合うレッスンプロを選択することができる（Ｓ３６）。
【００６９】
前記のようにレッスンプロの選択が完了すると、選択されたレッスンプロで構成されるレッスングループが設定されて保存される（Ｓ４０）。このとき、フローチャート上には示していないが、使用者が選択したレッスンプロに対して予め設定された決済情報によって使用者の決済が行われた場合にレッスングループの設定を可能にすることもできる。
【００７０】
使用者は、ゴルフコンテンツ提供装置、例えば、ゴルフレッスン装置を通して前記の設定されたレッスングループを用いることができ、仮想ゴルフシミュレーション装置を通しても前記の設定されたレッスングループを用いることができる。
【００７１】
使用者がゴルフコンテンツ提供装置を通して特定のゴルフコンテンツの提供を要請する場合（Ｓ５０、使用者がゴルフコンテンツの提供を直接要請することもでき、予め設定された状況に応じて自動的にゴルフコンテンツの提供を行うこともできる。）、使用者に対して設定されたレッスングループに属するレッスンプロのうち使用者の要請に対応するレッスンプロのゴルフコンテンツがデータベースから抽出され（Ｓ５１）、これに対する映像／音声が出力されることによって、要請されるゴルフコンテンツが提供される（Ｓ５２）。
【００７２】
一方、図８を参照して、本発明の一実施例に係る仮想ゴルフシミュレーション方法に関して説明する。
【００７３】
まず、仮想ゴルフシミュレーション装置を通して使用者のログインが行われる（Ｓ１００）。
【００７４】
仮想ゴルフシミュレーション装置の制御部は、サーバーからログインされた使用者に関する情報と前記使用者に対して設定されたレッスングループ情報を受信する。既に設定されたレッスングループに関する設定事項がない場合、使用者は、レッスングループ設定手段を実行させ、所望のレッスンプロを選択したり、レッスンプロの推薦を受けてレッスングループを設定することができる（Ｓ２００）。
【００７５】
そして、使用者によって仮想ゴルフシミュレーションが進行される（Ｓ３００）。すなわち、仮想のゴルフコースに関する映像が表示され、使用者がゴルフボールを打撃すると、センシング手段がこれをセンシングし、そのセンシング結果によってゴルフシミュレーションが行われる。
【００７６】
使用者がゴルフシミュレーションのためにゴルフスイングをする場合（Ｓ４００）、撮影手段は、使用者のゴルフスイングモーションを撮影し（Ｓ５００）、使用者のスイングモーション映像データを生成する。
【００７７】
そして、使用者に対して設定されたレッスングループのレッスンプロのスイングモーション映像データをデータベースから抽出する（Ｓ６００）。ここで、レッスングループに複数のレッスンプロが含まれている場合、使用者によって予め設定された事項によるレッスンプロのスイングモーション映像データが抽出される。例えば、使用者がゴルフスイング別にレッスンプロを分類しておき、使用者のゴルフスイングがドライバーショットである場合、ドライバーショットに分類されたレッスンプロのスイングモーション映像データが抽出される。
【００７８】
撮影された使用者のスイングモーション映像と該当のレッスンプロのスイングモーション映像は、同時に出力することもでき、所定の時間間隔を置いて出力することもできる（Ｓ７００）。
【００７９】
使用者のスイングモーションに関するデータと該当のレッスンプロのスイングモーションに関するデータは、サーバーに伝送されて保存され（Ｓ８００）、後で使用者が使用者端末装置などを介してサーバーに接続して確認することができる。
【産業上の利用可能性】
【００８０】
本発明に係るゴルフコンテンツ提供装置及びこれを用いるゴルフコンテンツ提供システム、仮想ゴルフシミュレーション装置、ゴルフコンテンツ提供方法及び仮想ゴルフシミュレーション方法は、仮想現実基盤のゴルフシミュレーションを行うことによって、使用者が仮想のゴルフ競技を楽しめるゴルフゲームや、いわゆるスクリーンゴルフ産業分野などに利用可能である。
【図１】
0005799441.tif 000002
【図２】
0005799441.tif 000003
【図３】
0005799441.tif 000004
【図４】
0005799441.tif 000005
【図５】
0005799441.tif 000006
【図６】
0005799441.tif 000007
【図７】
0005799441.tif 000008
【図８】
0005799441.tif 000009